(57)【要約】      （修正有）【課題】内押型音チャック付き密閉袋を提供する。【解決手段】密閉袋本体１の開口部に対向して設置されるオス部２とメス部３を含み、オス部とメス部を合わせて使用し、前記オス部は一体成形する基部２−１、接続部２−２及びヘッド部２−３を含み、前記接続部は基部の平面に対して傾斜し、前記ヘッド部の断面はハート状であり、且つヘッド部は長手方向に沿って波状であり、前記ヘッド部の先端に長手方向に沿って複数の溝２−４が設置され、前記メス部は対称に設置される第１のフック部３−１と第２のフック部３−２を含み、第１のフック部と第２のフック部の間にオス部のヘッド部を収納する嵌め込み溝が形成されている。チャックを閉める時には、オス部のヘッド部の溝構造によってオス部とメス部の間に断続的な音がしながら、オス部がユーザーに大きさの異なる反力を与え、チャックストリップの密閉性を確実に把握できる。【選択図】図１
0003225030.tif 000002
【実用新案登録請求の範囲】
【請求項１】
内押型音チャック付き密閉袋であって、
密閉袋本体（１）及び密閉袋本体（１）の開口部に対向して設置されるオス部（２）とメス部（３）を含み、オス部（２）とメス部（３）を合わせて使用し、前記オス部（２）は一体成形する基部（２−１）、接続部（２−２）及びヘッド部（２−３）を含み、前記接続部（２−２）は基部（２−１）の平面に対して傾斜し、前記ヘッド部（２−３）の断面はハート状であり、且つヘッド部（２−３）は長手方向に沿って波状であり、前記ヘッド部（２−３）の先端に複数の溝（２−４）が設置され、前記メス部（３）は対称に設置される第１のフック部（３−１）と第２のフック部（３−２）を含み、第１のフック部（３−１）と第２のフック部（３−２）の間にオス部（２）のヘッド部（２−３）を収納する嵌め込み溝が形成されていることを特徴とする内押型音チャック付き密閉袋。
【請求項２】
前記密閉袋本体（１）の開口部にさらにチャック（４）が設けられ、前記チャック（４）は合わせて使用される凹部（４−１）と凸部（４−２）を含み、前記密閉袋本体（１）の一側の開口部に凹部（４−１）とオス部（２）が上から下まで平行に設置され、前記密閉袋本体（１）の反対側にそれと合わせる凸部（４−２）とメス部（３）が設置され、又は前記密閉袋本体（１）の一側の開口部にオス部（２）と凹部（４−１）が上から下まで平行に設置され、前記密閉袋本体（１）の反対側にそれと合わせるメス部（３）と凸部（４−２）が設置されていることを特徴とする請求項１に記載の内押型音チャック付き密閉袋。
【請求項３】
前記凹部（４−１）の上部に長手方向に沿って波状を呈しており、前記凹部（４−１）の上部に複数の第２の溝（４−１−１）が設置されていることを特徴とする請求項２に記載の内押型音チャック付き密閉袋。
【考案の詳細な説明】
【技術分野】
【０００１】
本考案は収納容器技術分野に関し、具体的に内押型音チャック付き密閉袋に関する。
【背景技術】
【０００２】
現在、使用している密閉袋の口は凹部と凸部の嵌合式密閉構造を採用し、凹部と凸部を外力で嵌合させる瞬間に、凸部を凹部に嵌める時に凹部と凸部の密閉を手で感じることができるが、凹部と凸部が結合した後、外力でチャック方向に沿って移動しながらチャックを閉鎖する時、凹部と凸部の接触面が滑らかであるため、袋の口の閉鎖を手で感じることができない。また、凸部の断面は通常、Ｔ型構造であり、凸部の垂直である凸起をそのまま凹部内に入れ、凸部が凹部から滑って離れやすいので、チャックをしっかりと閉められない場合がある。
【考案の概要】
【考案が解決しようとする課題】
【０００３】
本考案は、従来の技術においてオス部とメス部を閉鎖する時にチャックの閉鎖を手で感じることができず、オス部がメス部から滑って離れやすいという問題を考慮し、チャックを押させて手でチャックの閉鎖状況を感じる密着可能な内押型音チャック付き密閉袋を提供する。
【課題を解決するための手段】
【０００４】
本考案で上記の技術的課題を解決するための技術的解決手段は、内押型音チャック付き密閉袋は密閉袋本体及び密閉袋本体の開口部に対向して設置されるオス部とメス部を含み、オス部とメス部を合わせて使用し、前記オス部は一体成形する基部、接続部及びヘッド部を含み、前記接続部は基部の平面に対して傾斜し、前記ヘッド部の断面はハート状であり、且つヘッド部は長手方向に沿って波状であり、前記ヘッド部の先端に長手方向に沿って複数の溝が設置され、前記メス部は対称に設置される第１のフック部と第２のフック部を含み、第１のフック部と第２のフック部の間にオス部のヘッド部を収納する嵌め込み溝が形成されることである。
【０００５】
本考案の有益な効果は、ヘッド部に複数の溝構造を有するオス部をメス部に嵌め込み、嵌め込む時にオス部ヘッド部の溝構造により、オス部とメス部の間に断続的な音がしながら、同時にオス部がユーザーに大きさの異なる反力を与え、チャックストリップの密閉性を確実に把握すること、オス部の接続部が基部の平面に対し斜め、オス部のヘッド部と嵌め込み溝の嵌合がより堅牢になり、オス部がメス部から滑って離れることを避けることである。
【０００６】
上記の技術的解決手段の上で、本考案は使用の利便性及び設備の安定性のため、上記の技術的解決手段を次のように改善することができる。
【０００７】
さらに、前記密閉袋本体の開口部にさらにチャックが設けられ、前記チャックは合わせて使用する凹部と凸部を含み、前記密閉袋本体の一側の開口部に凹部とオス部が上から下まで平行に設置され、前記密閉袋本体の反対側にそれと合わせる凸部とメス部が設置され、又は前記密閉袋本体の一側の開口部にオス部と凹部が上から下まで平行に設置され、前記密閉袋本体の反対側にそれと合わせるメス部と凸部が設置されている。
【０００８】
さらに、前記凹部の上部に長手方向に沿って波状を呈しており、前記凹部の上部に複数の第２の溝が設置されている。
【０００９】
上記の更なる技術的解決手段を使用する時の有益効果は、場合によってオス部とメス部の数量と組み合わせ態様を増やし、さらに密閉袋の密閉効果を向上させることである。
【図面の簡単な説明】
【００１０】
【図１】本考案の実施形態１の構造を示す図である。
【図２】本考案の実施形態２の構造を示す図である。
【図３】本考案の実施形態３の構造を示す図である。
【考案を実施するための形態】
【００１１】
以下、図面に従って本考案の原理と特徴を説明し、挙げられる実施形態は本考案を解釈することに過ぎず、本考案の範囲を限定するものではない。
【００１２】
（実施例１）
図１に示すように、内押型音チャック付き密閉袋は、密閉袋本体（１）及び密閉袋本体（１）の開口部に対向して設置されるオス部（２）とメス部（３）を含み、オス部（２）とメス部（３）を合わせて使用し、前記オス部（２）は一体成形する基部（２−１）、接続部（２−２）及びヘッド部（２−３）を含み、前記接続部（２−２）は基部（２−１）の平面に対して傾斜し、前記ヘッド部（２−３）の断面はハート状であり、且つヘッド部（２−３）は長手方向に沿って波状であり、前記ヘッド部（２−３）の先端に長手方向に沿って複数の溝（２−４）が設置され、前記メス部（３）は対称に設置される第１のフック部（３−１）と第２のフック部（３−２）を含み、第１のフック部（３−１）と第２のフック部（３−２）の間にオス部（２）のヘッド部（２−３）を収納する嵌め込み溝が形成されている。オス部とメス部はチャック付き袋熱圧着技術を採用して密閉袋体に結合するか、又はメス部とオス部及び密閉袋体は一体成形技術を採用して融合する。
【００１３】
（実施例２）
図２に示すように、前記密閉袋本体（１）の開口部にさらにチャック（４）が設けられ、前記チャック（４）は合わせて使用される凹部（４−１）と凸部（４−２）を含み、前記密閉袋本体（１）の一側の開口部に凹部（４−１）とオス部（２）が上から下まで平行に設置され、前記密閉袋本体（１）の反対側にそれと合わせる凸部（４−２）とメス部（３）が設置され、又は前記密閉袋本体（１）の一側の開口部にオス部（２）と凹部（４−１）が上から下まで平行に設置され、前記密閉袋本体（１）の反対側にそれと合わせるメス部（３）と凸部（４−２）が設置される。
【００１４】
（実施例３）
図３に示すよう、前記凹部（４−１）の上部に長手方向に沿って波状を呈しており、前記凹部（４−１）の上部に複数の第２の溝（４−１−１）が設置されている。
【００１５】
以上、本考案の好適な実施形態に過ぎず、本考案を限定するものではない。本考案の精神と原則を逸脱しない範囲において行われる修正、均等置換、改良などすべてが本考案の保護範囲に含まれる。
【符号の説明】
【００１６】
１            密閉袋本体  
２            オス部  
２−１        基部  
２−２        接続部  
２−３        ヘッド部  
２−４        溝
３            メス部
３−１        第１のフック部
３−２        第２のフック部
４            チャック
４−１        凹部
４−１−１    第２の溝  
４−２        凸部
【図１】
0003225030.tif 000003
【図２】
0003225030.tif 000004
【図３】
0003225030.tif 000005